(57)【要約】【課題】通信回線の不具合や端末各部の不具合などについて、ユーザから不具合の問い合わせがあったときに、原因の特定が難しい。【解決手段】生体情報通信端末に、各部の状態とＩＰアドレス・ポート番号などを所定の時間間隔で送信する状態送信部を設ける。生体情報サーバーに端末の不具合状態や通信状態を記憶する端末状態記憶部を設ける。【選択図】  図１
2004215824.tif 000002
【特許請求の範囲】
【請求項１】
生体情報を測定する生体情報測定部と、前記生体情報測定部で計測された生体情報をサーバーへ送信する生体情報送信部と、前記生体情報測定部と前記生体情報送信部の少なくとも一方の動作状態や不具合状態を検出する状態検出部と、前記状態検出部で得られた情報をサーバーへ所定の時間間隔で送信する状態送信部を備えたことを特徴とする生体情報通信端末。
【請求項２】
状態送信部での通信をＵＤＰ（Ｕｓｅｒ  Ｄａｔａｇｒａｍ  Ｐｒｏｔｏｃｏｌ）で行うことを特徴とする請求項１記載の生体情報通信端末。
【請求項３】
状態送信部での通信において、生体情報送信部での使用ＩＰアドレスや使用ポート番号等の通信設定情報を送信情報へ付加してサーバーへ送信することを特徴とする請求項１または２記載の生体情報通信端末。
【請求項４】
ユーザの生体情報を記憶する生体情報記憶部と、生体情報通信端末から送信された生体情報を受信し前記生体情報記憶部に登録する生体情報登録部と、生体情報通信端末毎に最新の状態情報受信時刻と生体情報通信端末の各部の状態および通信状況の少なくともひとつを管理・記憶する端末状態記憶部と、生体情報通信端末中の状態送信部からの通信を受信し、前記端末状態記憶部に受信情報を登録する端末状態登録部を備えたことを特徴とする生体情報サーバー。
【請求項５】
端末状態登録部で受信した端末情報を解析し、生体情報通信端末の状態が正常かどうかを判断する端末状態判定部と、前記端末状態判定部で正常でないと判断された生体情報通信端末のＩＤと状態を表示する異常状態表示部と、前記端末状態判定部で正常でないと判断された端末で測定された生体情報記憶部中の生体情報について、正常でないと判断された日時から次に正常であると判断されるまでに測定された生体情報に異常フラグを付与する異常フラグ付与部を備えたことを特徴とする請求項４記載の生体情報サーバー。
【請求項６】
生体情報通信端末の状態送信部からの通信が所定時間無くなった時に、その生体情報通信端末のＩＤおよび最終通信時間を表示する無通信端末表示部を備えたことを特徴とする請求項４または５記載の生体情報サーバー。
【請求項７】
端末状態登録部において通信を受信した時刻、送信元である生体情報通信端末のＩＤ、生体情報通信端末の状態の少なくともひとつを端末動作履歴として記憶する端末状態ログ記憶部を備えたことを特徴とする請求項４〜６いずれか１項記載の生体情報サーバー。
【請求項８】
請求項１〜７のいづれか１項記載の機能すべてもしくは一部をコンピュータに実現させるためのプログラム。
【発明の詳細な説明】
【０００１】
【発明の属する技術分野】
本発明は、血圧値や血糖値などの生体情報や医療・保健に関する情報について、在宅の患者が医者や看護婦などの医療関係者と通信を行うための生体情報通信端末および生体情報サーバーに関するものである。
【０００２】
【従来の技術】
医療費の高騰に伴い、患者を在宅で治療する傾向が高まっている。この在宅医療を実現するためのシステムとして、生体情報通信端末や生体情報サーバーから構成される医療情報通信システムがある。
【０００３】
従来の医療情報通信システムの概略構成を図６に示す。下記に記した特許文献１や特許文献２に示されているように、インターネットなどの通信回線に、生体情報通信端末１００、生体情報サーバー１１０、生体情報閲覧端末１２０が接続される構成になっている。
【０００４】
図６の医療情報通信システムは、患者であるユーザの生体情報を測定し、生体情報サーバーへ送信する生体情報通信端末１００、生体情報通信端末１００から送信された生体情報を受信し蓄積する生体情報サーバー１１０、生体情報サーバー１１０にアクセスしてユーザ毎の生体情報を取得して表示する生体情報閲覧部１２０からなる。
【０００５】
生体情報通信端末１００は、患者であるユーザの生体情報（体温、血圧、体重、血糖値など）を測定する生体情報測定部１０１、測定された生体情報を通信にサーバーに送信する生体情報送信部１０２からなる。
【０００６】
以上のように構成された医療情報システムでは、生体情報通信端末１００は患者宅に置き、生体情報サーバー１１０は情報センター内等に設置する。生体情報閲覧端末１２０は通常のパソコンなどで構成されており、医療機関内などに設置する。
【０００７】
生体情報通信端末１００中の生体情報送信部１０２で送信された生体データは、インターネットを通じて生体情報サーバー１１０へ送信され登録・管理される。医師や看護婦は生体情報閲覧端末１２０を用いて、インターネットを介して生体情報サーバー１１０へアクセスし、患者の生体データを閲覧する。
【０００８】
【特許文献１】
特開平１０−１４３５７３号公報（第１図）
【特許文献２】
特開２００１−２５８８５７号公報（第１図）
【０００９】
【発明が解決しようとする課題】
しかしながら、上記従来の生体情報通信端末や生体情報サーバーの構成では、生体情報通信端末と生体情報サーバー間の通信がインターネットを利用しているため、必ずしも通信がうまくいくことが保障されていない。また、通信回線の不具合や端末各部の不具合などを生体情報サーバーが管理していないので、ユーザから不具合の連絡が発生したときに、原因の特定が難しいという課題があった。
【００１０】
例えば、生体情報通信端末から生体データが長期にわたって通信されなかった場合、生体情報サーバーもしくは生体情報閲覧端末からは、患者が生体情報の測定を行っていないのか、端末が故障しているのか、通信がうまくいっていないのかを区別できない。
【００１１】
また、ユーザから測定した生体データが送信できない等のクレームが来た場合にも、端末が故障しているのか、サーバーが故障なのか、通信回線が不良なのかを区別できない。
【００１２】
【課題を解決するための手段】
本発明は上記課題を解決するため、生体情報通信端末に生体情報測定部と生体情報送信部の少なくとも一方の動作状態や不具合状態を検出する状態検出部と、状態検出部で得られた情報をサーバーへ所定の時間間隔で送信する状態送信部を備える。また、生体情報サーバーには、生体情報通信端末毎に最新の状態情報受信時刻と生体情報通信端末の状態および通信状況の少なくともひとつを管理・記憶する端末状態記憶部と、生体情報通信端末中の状態送信部からの通信を受信し、前記端末状態記憶部に受信情報を登録する端末状態登録部を備える。
【００１３】
この構成により、生体情報通信端末中の生体情報測定部と生体情報送信部の状態や不具合情報を生体情報サーバーで管理できる。
【００１４】
また、状態情報検出部で得られた情報は所定の時間間隔（たとえば１０分毎）で生体情報サーバーに送られるので、何らかの通信の不具合が発生した場合は、その不具合がいつから発生しているのかを概略知ることができる。さらに状態情報送信部で送信する情報に端末で利用したＩＰアドレスやポート番号などの通信設定情報を付加することにより、端末での通信状態を生体情報サーバーで管理でき、不具合が発生したときに原因特定が容易になる。
【００１５】
【発明の実施の形態】
本発明の請求項１にかかる生体情報通信端末は、生体情報を測定する生体情報測定部と、生体情報測定部で計測された生体情報をサーバーへ送信する生体情報送信部と、生体情報測定部と生体情報送信部の少なくとも一方の動作状態や不具合状態を検出する状態検出部と、状態検出部で得られた情報をサーバーへ所定の時間間隔で送信する状態送信部を備える。この構成により、生体情報通信端末内部の状態情報（不具合情報を含む）をサーバーへ通知することができる。
【００１６】
本発明の請求項２にかかる生体情報通信端末は、請求項１において、状態送信部での通信をＵＤＰ（Ｕｓｅｒ  Ｄａｔａｇｒａｍ  Ｐｒｏｔｏｃｏｌ）で行うことを特徴とする。多数の生体情報通信端末が１台のサーバーへ接続している場合等において、ＵＤＰを用いることにより、状態送信部で送信した情報を受信するサーバーの負荷を低減できる。
【００１７】
本発明の請求項３にかかる生体情報通信端末は、請求項１および２において、状態送信部での通信で、生体情報送信部の使用ＩＰアドレスと使用ポート番号などの通信設定情報を送信情報へ付加してサーバーへ送信する。これにより、ユーザがＤＨＣＰを利用している場合等、通信設定が変化するような場合にも、ユーザの通信環境をサーバー側で把握することができる。
【００１８】
本発明の請求項４にかかる生体情報サーバーは、ユーザの生体情報を記憶する生体情報記憶部と、生体情報通信端末から送信された生体情報を受信し生体情報記憶部に登録する生体情報登録部と、生体情報通信端末毎に最新の状態情報受信時刻と生体情報通信端末の状態および通信状況の少なくともひとつを管理・記憶する端末状態記憶部と、生体情報通信端末中の状態送信部からの通信を受信し、端末状態記憶部に受信情報を登録する端末状態登録部を備える。この構成により、生体情報通信端末から送信された端末の状態情報を、生体情報サーバー側で管理することができる。
【００１９】
本発明の請求項５にかかる生体情報サーバーは、請求項４において、端末状態登録部で受信した端末情報を解析し、生体情報通信端末の状態が正常かどうかを判断する端末状態判定部と、端末状態判定部で正常でないと判断された生体情報通信端末のＩＤと状態を表示する異常状態表示部と、端末状態判定部で正常でないと判断された端末で測定された生体情報記憶部中の生体情報について、正常でないと判断された日時から次に正常であると判断されるまでに測定された生体情報に異常フラグを付与する異常フラグ付与部を備える。この構成により、異常な状態の生体情報通信端末や、異常な状態で計測された生体情報などを生体情報サーバー側で管理できる。
【００２０】
本発明の請求項６にかかる生体情報サーバーは、請求項４〜５において、生体情報通信端末の状態送信部からの通信が所定時間無くなった時に、その生体情報通信端末のＩＤおよび最終通信時間を表示する無通信端末表示部を備える。この構成により、生体情報サーバーで、生体情報通信端末が最後に通信可能であった日時がわかる。この情報は、ユーザから接続不良などのクレームなどがあった場合に、原因究明の助けになる。
【００２１】
本発明の請求項７にかかる生体情報サーバーは、請求項４〜６の端末状態登録部において、通信を受信した時刻、送信元である生体情報通信端末のＩＤ、生体情報通信端末の状態の少なくともひとつを端末動作履歴として記憶する端末状態ログ記憶部を備える。この構成により、生体情報通信端末の運用開始から現在までの状態履歴を生体情報サーバーで管理できる。この情報により、不具合の頻度の高い端末や、通信が定期的に無い端末などを抽出することができ、問題の多い端末を取り出すことができる。
【００２２】
本発明の請求項８は、請求項１〜７のいづれか１項記載の機能の全てもしくは一部をコンピュータに実現させるためのプログラムである。そして、プログラムであるので汎用コンピュータやパソコンなどを用いて本発明の機能の一部あるいは全てを容易に実現することができる。また記録媒体に記録したり通信回線を用いてプログラムを配信したりすることでプログラムの配布やインストール作業が簡単にできる。
【００２３】
【実施例】
以下、本発明の実施例について図面を用いて説明する。
【００２４】
（実施例１）
図１は本発明の全体構成を示した図である。図１において、１はユーザ（患者）の生体情報（血圧、体温、体重、血糖、心電図など）を測定し、インターネットを経由して生体情報サーバー２へ送信する生体情報通信端末。生体情報通信端末１は患者の宅内等に設置される。２は情報センターの中に設置された生体情報サーバー。生体情報通信端末１から送信された生体情報の受信・蓄積・管理および情報提供サービスを行う。３は病院や保健センターなどの医療機関内で、医師や看護婦などの医療関係者がユーザの生体情報やその履歴情報を閲覧するための生体情報閲覧端末である。生体情報閲覧端末３は通常のパソコン等で構成されており、情報センター内の生体情報サーバー２にインターネットやＬＡＮなどを経由してアクセスすることにより、ユーザの生体情報を取得して表示する。
【００２５】
生体情報通信端末１の詳細な構成を図２示す。図２の１０は血圧計、血糖計、体温計、体重計などのセンサから構成された生体情報測定部。なお、生体情報測定部１０は生体情報通信端末１から着脱可能でも良い。１１は生体情報測定部１０から送信されたデータを受信して生体情報を取り出し、生体情報サーバー２へ送信する生体情報送信部。１２は電話回線などの公衆通信網を利用して生体情報サーバー２や他のサーバーと通信を行う端末通信部。端末通信部１２の構成は、接続する回線の種類に応じて異なる。具体的には、ＡＤＳＬモデム、ケーブルモデム、ＩＳＤＮダイアルアップルータなどの構成となる。１３は生体情報の計測結果やサーバーへの通信状況を表示する表示部。具体的にはドットマトリクス液晶やＬＥＤなどから構成される。１４は生体情報測定部１０および生体情報通信部１１の状態、および端末通信部１２で使う通信設定情報を検出する状態検出部である。状態検出部では、生体情報測定部１０（血圧計、体温計、体重計など）から発生するエラーコードと、生体情報送信部１１がデータ送信した場合の通信エラーなどを検出する。なお、生体情報測定部１０が生体情報通信端末１から着脱可能な場合には、生体情報測定部１０と生体情報送信部１１を結ぶケーブルが正しく接続されているか、はずれているかをも検出する。１５は状態検出部１４で検出された情報を生体情報サーバー２へ所定の時間間隔で繰り返し送信する状態送信部である。状態送信部１５での送信時間間隔はあらかじめ端末側で設定しておく（例えば１０分毎など）。
【００２６】
図３に生体情報サーバー２の詳細構成を示す。図３の２１は生体情報通信端末１とデータの送受信を行うサーバー通信部。２２はユーザの体温、血圧、体重、心電図などの生体情報を蓄積・管理する生体情報記憶部。２３は生体情報通信端末１の生体情報通信部１１から送信された生体情報を受信して生体情報記憶部２２に登録する生体情報登録部。２４は生体情報通信端末１の端末状態や通信設定情報を記憶する端末状態記憶部。具体的には、生体情報通信端末１と生体情報サーバー２の間の通信ができているかどうか、または、生体情報通信端末１中の生体情報測定部１０や生体情報送信部１１に問題が発生してないかどうかを、端末毎に記憶する。２５は生体情報通信端末１中の状態送信部１５から送信された端末状態情報を受信して、端末状態記憶部２４に記憶させる端末状態登録部。２６は端末状態登録部２５で受信した端末状態情報から各端末が異常かどうかを判断する端末状態判定部。２７は端末状態判定部２６で異常と判定された端末のＩＤ（もしくは異常と判定された端末の利用ユーザ名）などを表示する異常状態表示部。２８は端末状態判定部２６で異常と判定された端末で測定されたデータに異常フラグを付与する異常フラグ付与部。なお異常フラグ付与部２８は端末状態判定部２６で異常と判断された時から、それが解除されるまでに測定されたデータについて異常フラグを付与する。２９は端末状態登録部２５で得られた端末状態をログ情報として端末状態履歴情報を記憶・蓄積する端末状態ログ記憶部。３０は端末状態記憶部２４にアクセスし、各端末毎の最終アクセス時間情報から、所定時間前から現時点にいたるまでに通信の無い端末の一覧を表示する無通信状態表示部。３１は生体情報閲覧端末３をデータベースに接続させ、生体情報記憶部２２に格納された情報をやりとりさせるためのインタフェース部である。
【００２７】
以上のように構成された生体情報通信端末１と生体情報サーバー２の動作を図４および図５のフローチャートにより説明する。
【００２８】
図４は生体情報通信端末１の動作手順を示すフローチャートである。図中のステップにしたがって動作を説明する。
【００２９】
（ステップＡ１）生体情報通信端末１の状態検出部１４は、電源投入による起動後、ユーザが生体情報測定部１０を用いて測定を行なっているかどうかを判断する。
【００３０】
状態検出部１４は、生体情報測定部１０もしくは生体情報送信部１１と接続している。状態検出部１４は、血圧計や血糖計などの生体情報計測部１０からの信号があるかどうか、もしくは、計測結果が生体情報送信部１１に届いているかどうかを判断して、ユーザが測定を行っているかどうかを判断する。
【００３１】
なお、生体情報測定部１０が本体である生体情報通信端末１から着脱可能である場合は、生体情報送信部１１に生体情報測定部１０が接続されているかどうか、あるいは生体情報送信部１１にデータが送られてきているかどうかで、ユーザが測定を行っているかどうかを判断する。
【００３２】
状態検出部１４が、生体情報の測定が開始されたと判断したらステップＡ５へ進み、そうでなければ次のステップＡ２へ進む。
【００３３】
（ステップＡ２）状態送信部１５は、時計機能を持ち、現在時刻および状態情報の前回送信日時を管理している。このステップでは、現在の日時が、前回送信日時から所定の時間が経過しているかどうかを判断する。なお初回起動時など、前回送信時刻が無い場合は、無条件に所定時間経過したものとする。
【００３４】
前回送信日時から所定時間経過したと判断した場合は、次のステップＡ３に進み、そうでなければステップＡ１に戻る。
【００３５】
（ステップＡ３）状態送信部１５は、状態検出部１４に信号を出し、生体情報測定部１０および生体情報送信部１１の状態を検出させる。
【００３６】
具体的には、現時点で、接続されている生体情報測定部１０の種類（血圧計、体温計、心電計、など）および生体情報測定部１０および生体情報測定部１１から出力されるエラーコード（正常であれば出力されないか、もしくは正常を示すコード）を検出する。なお、生体情報送信部１１の送信ログや生体情報測定部１０の測定ログなども同時に検出しても良い。
【００３７】
また、これらの検出情報以外に、端末情報送信部１１や端末通信部１２で利用するＩＰアドレスとポート番号などの通信設定情報を検出しても良い（ＤＨＣＰやＮＡＴ，ＩＰマスカレードなどを利用した環境で生体情報通信端末１を利用している場合、使用するＩＰアドレスやポートは変化する。）。また、必要に応じて、サーバーまでの経路情報（ｔｒａｃｅ  ｒｏｕｔｅで得られた値など、生体情報サーバー２に送信パケットが届くまでに経由するホストと、経路中のホストへ届くまでの時間情報）を検出しても良い。これらの通信に関する情報を生体情報サーバー２に送信することにより、端末とサーバーの間の通信回線の状況を生体情報サーバー２で把握できる。
【００３８】
（ステップＡ４）状態検出部１４で検出された状態情報や通信設定情報を状態送信部１５により、端末通信部１２を制御して生体情報サーバ２に送信する。状態送信部１５による送信が完了した後、ステップＡ１に戻り、状態情報の送信や生体情報の測定を繰り返す。
【００３９】
なお、状態送信部１５での状態情報の送信には、ＵＤＰ（Ｕｓｅｒ  Ｄａｔａｇｒａｍ  Ｐｒｏｔｏｃｏｌ）を用いる。ＵＤＰとはＴＣＰ／ＩＰプロトコルにおけるトランスポート層のプロトコルであり、ベストエフォート型のデータグラム指向の通信を行なう。ＵＤＰはその下位層にあるＩＰパケットをほとんどそのままアプリケーションから使えるようにしただけのプロトコルである。そのため、パケットが相手に確実に届くという保証はないし、再送や受信確認応答、フロー制御、大きなデータの分割や再合成なども行わない。したがって、通信処理が極めて簡単であり、高速で負荷が軽いという特徴がある。
【００４０】
一般に、１台の生体情報サーバー２には、複数台の生体情報通信端末１を接続する。したがって、生体情報通信端末の台数が多くなるにつれて、生体情報サーバー１の負荷が大きくなる。特にここで述べた端末の状態情報送信は、例えば１０分毎など、頻繁に通信を行うので、生体情報通信端末１の増加により、極めて生体情報サーバー２の負荷が大きくなる。このため、ここでの通信にＵＤＰを用いることにより生体情報サーバー２の負荷を軽減することができる。
【００４１】
（ステップＡ５）このステップは、ステップＡ１で生体情報通信端末１での測定（もしくは生体情報測定部１０から生体情報送信部１１へのデータ転送）が開始されたと判断されたときの動作である。ユーザが生体情報測定部１０（血圧計、血糖計、心電計など）を利用して生体情報の取得を行う。そのデータは生体情報送信部１１へ送信される。
【００４２】
生体情報測定部１０が生体情報通信端末１から着脱可能な場合、ユーザは測定後に、生体情報測定部１０と生体情報送信部１１をケーブル接続などのインタフェースで接続し、その後データ送信を行う必要がある。
【００４３】
（ステップＡ６）生体情報送信部１１に送信された生体情報を、表示部１３を用いてユーザにわかるように計測結果を表示する。表示部１３はドットマトリクス液晶やＬＥＤアレイなどの構造になっており、取得したデータを数値により表示する。
【００４４】
（ステップＡ７）生体情報送信部１１は端末通信部１２を制御して生体情報を生体情報サーバー２へ送信する。送信経過は表示部１３を利用して表示させても良い。生体情報送信部１１が生体情報の送信を終了した後は、ステップＡ１へ戻り、今まで記載してきたような処理を繰り返す。
【００４５】
図５は生体情報サーバー２の動作手順を示すフローチャートである。図中の各ステップついて動作を説明する。
【００４６】
（ステップＢ１）生体情報サーバー２の起動後、サーバー通信部２１は、生体情報通信端末１からのデータ通信を受信したかどうかを判断する。受信した場合はステップＢ２へ進み、受信しなかった場合はステップＢ９に進む。
【００４７】
（ステップＢ２）サーバー通信部２１は、ステップＢ１で受信したデータが生体情報データか、端末状態データかを判断する。生体情報であった場合はステップＢ３へ進み、端末状態であればステップＢ５へ進む。
【００４８】
（ステップＢ３）サーバー通信部２１で受信された生体情報は生体情報登録部２３へ出力される。生体情報登録部２３は生体情報中に含まれる患者コード（ユーザコード）と測定時刻をキーとして、測定結果（体温、血圧、心電図などの生体データ）を生体情報記憶部２２に登録する。
【００４９】
（ステップＢ４）生体情報の登録後、生体情報登録部２３は異常フラグ付与部２８を起動させる。異常フラグ付与部２８は、端末の状態情報から異常のある端末で測定されたデータに対して異常フラグを付与する動作を行う。
【００５０】
ここでは、ステップＢ３で登録した生体データに対して、そのデータを測定した端末に、現時点で異常があれば、異常フラグを付与し、生体情報記憶部２２に記憶させる（端末に異常が無ければ、異常フラグは付与しない。）。
【００５１】
異常フラグ登録後、もしくは異常が発見されなかった場合、ステップＢ１の前に戻り、生体情報通信端末１からの通信待ち状態に移行する。
【００５２】
（ステップＢ５）ステップＢ２で受信したデータが端末状態の場合に、このステップへ遷移する。このステップでは、端末状態登録部２５が受信した生体情報通信端末１の状態情報を端末状態記憶部２４に記憶させる。端末状態記憶部２４は、現時点での各生体情報通信端末１の状態情報を保持している。具体的には、最新の端末状態の送信受信日時と、各端末の生体情報測定部１０の状態（どの種類の測定器が接続されているか、また測定器に問題は無いかどうか等）、生体情報送信部１１の状態、そして、端末通信部２１で利用するＩＰアドレス、ポートなどの通信設定情報を端末状態記憶部２４に記憶させる。必要に応じて、端末〜サーバー間の通信経路情報などを記憶させても良い。
【００５３】
（ステップＢ６）端末状態登録部２５は、端末状態記憶部２４に登録した端末状態情報と同じ情報を端末状態ログ記憶部２９に記憶させる。端末状態ログ記憶部２９は現時点の状態情報だけでなく、システム全体の運用開始から現時点まで、各端末から送信された状態情報をログの形で保持する。このログを参照することにより、管理者は端末の状態履歴などを把握することができる。
【００５４】
端末状態登録部２５は端末状態ログ記憶部２９への書き込みの後、状態情報を端末状態判定部２６へ送信する。
【００５５】
（ステップＢ７）端末状態判定部２６では、送信されてきた生体情報通信端末１の状態情報から、端末に異常が無いかどうかを判定する。異常がある場合は、その生体情報通信端末１のＩＤ（端末番号）と、それを利用しているユーザ（患者）名などの一覧を異常状態表示部２７により表示させる。
【００５６】
（ステップＢ８）端末状態判定部２６での判定結果を異常フラグ付与部２８へ送信する。異常フラグ付与部２８は異常の発見された端末を管理し、ステップＢ４の動作により測定された生体情報に異常フラグを付与する動作を行う。端末状態判定部２６で判定結果が正常な場合も、その情報は異常フラグ付与部２８へ送信される。これにより、動作が異常な期間の生体情報のみに異常フラグを付与することができる。
【００５７】
このステップの終了後、ステップＢ１の前に戻り、生体情報通信端末１からの通信待ち状態に遷移する。
【００５８】
（ステップＢ９）このステップは、ステップＢ１での通信待ち状態に行う動作である。無通信端末表示部３０は、端末状態記憶部２４を検索し、端末の状態情報が所定時間以上受信できなかった生体情報通信端末１の端末番号を検索し、その端末番号および最終通信日時を表示する。
【００５９】
状態情報が長時間受信できない生体情報通信端末１は、電源が投入されていないか、端末とサーバーとの通信経路のどこかで障害が発生している。このような場合に、ユーザから何らかの問い合わせがあった時は、最終通信時間近辺にユーザが利用しているプロバイダがダウンしているかどうかなどの調査も可能であり、これらの情報が接続不具合の原因究明などに効果を発揮する。
【００６０】
以上のような、図４の生体情報通信端末１の動作、及び図５の生体情報サーバー２の動作により、生体情報通信端末１の各部の状態や通信設定状況を生体情報サーバー２で管理することができる。これにより、端末で問題が発生したときなどに、管理者が容易に対応することができる。
【００６１】
【発明の効果】
以上説明したように、本発明にかかる生体情報通信端末は、生体情報を測定する生体情報測定部や生体情報をサーバーへ送信する生体情報送信部の動作状態や不具合状態、通信設定情報を検出する状態検出部と、検出された状態情報をサーバーへ所定の時間間隔で送信する状態送信部を備える。また、生体情報サーバーでは、生体情報通信端末から送信された状態情報を受信してデータベースに登録する端末状態登録部と、生体情報通信端末毎に最新の状態情報受信時刻と生体情報通信端末の状態および通信状況をデータベース内に管理・記憶する端末状態記憶部を備える。
【００６２】
このような構成により、生体情報サーバー側で、生体情報通信端末の各部の動作状態や不具合状態、通信設定情報を把握することができる。これにより、ユーザからの不具合クレームなどに対して、センター側で生体情報サーバーを閲覧することで、適切な対応が可能になる。
【図面の簡単な説明】
【図１】実施例１の全体構成図
【図２】実施例１における生体情報通信端末１の構成図
【図３】実施例１における生体情報サーバー２の構成図
【図４】実施例１における生体情報通信端末１のフローチャート
【図５】実施例１における生体情報サーバー２のフローチャート
【図６】従来例の構成図
【符号の説明】
１  生体情報通信端末
２  生体情報サーバー
３  生体情報閲覧端末
１０  生体情報測定部
１１  生体情報送信部
１２  端末通信部
１３  表示部
１４  状態検出部
１５  状態送信部
２１  サーバー通信部
２２  生体情報記憶部
２３  生体情報登録部
２４  端末状態記憶部
２５  端末状態登録部
２６  端末状態判定部
２７  異常状態表示部
２８  異常フラグ付与部
２９  端末状態ログ記憶部
３０  無通信状態表示部
３１  インタフェース部
【図１】
2004215824.tif 000003
【図２】
2004215824.tif 000004
【図３】
2004215824.tif 000005
【図４】
2004215824.tif 000006
【図５】
2004215824.tif 000007
【図６】
2004215824.tif 000008